【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
無線通信の方法であって、
マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信することと、
前記複数のセットにおけるＡＣＫ／ＮＡＫリソースの物理レイヤ・インジケータを受信することとを備え、
前記ＡＣＫ／ＮＡＫリソースの複数のセットは、前記少なくとも１つの二次ダウンリンク成分キャリアの送信モードでの少なくとも一部分に基づいて決定され、
前記物理レイヤ・インジケータは、前記複数のセットのためのインデックスを備え、
一次成分キャリアおよび前記少なくとも１つの二次ダウンリンク成分キャリアで、ダウンリンク・データ送信を受信することと、
前記一次成分キャリアの制御チャネル要素（ＣＣＥ）での少なくとも一部分に基づいて、前記複数のセットから第１のＡＣＫ／ＮＡＣＫリソースを決定することと、
前記インデックスに対応する各セットの要素での少なくとも一部分に基づいて、前記複数のセットから第２のＡＣＫ／ＮＡＣＫリソースを決定することと
を備える方法。
【請求項２】
前記ＡＣＫ／ＮＡＫリソースを用いて、物理アップリンク制御チャネルで、前記ダウンリンク・データ送信のためのＡＣＫ／ＮＡＫ情報を送信することをさらに備える請求項１に記載の方法。
【請求項３】
前記物理レイヤ・インジケータを、キャリア間信号として受信すること、をさらに備える請求項１に記載の方法。
【請求項４】
前記物理レイヤ・インジケータは、前記少なくとも１つの二次ダウンリンク成分キャリアのための送信電力制御（ＴＰＣ）コマンドを備える、請求項３に記載の方法。
【請求項５】
前記物理レイヤ・インジケータは、前記複数のセットへのオフセットを備える、請求項１に記載の方法。
【請求項６】
前記物理レイヤ・インジケータは、物理アップリンク制御チャネル（ＰＵＣＣＨ）フォーマット１ｂベースのチャネル選択をサポートする、請求項１に記載の方法。
【請求項７】
前記物理レイヤ・インジケータは、物理ダウンリンク制御チャネル（ＰＤＣＣＨ）二次成分キャリアの送信電力制御ビットを備える、請求項１に記載の方法。
【請求項８】
前記上部レイヤは、ラジオ・リソース制御（ＲＲＣ）レイヤを備える、請求項１に記載の方法。
【請求項９】
前記複数のセットは、ユーザ機器（ＵＥ）のために設定されたダウンリンク成分キャリアの数と、前記ＵＥの送信モードとに基づく、請求項１に記載の方法。
【請求項１０】
各セットは、ダウンリンク制御情報ビットの数に基づくリソースの数を備える、請求項１に記載の方法。
【請求項１１】
前記物理レイヤ・インジケータは、ＡＣＫ／ＮＡＫリソース・インジケータ（ＡＲＩ）を備える、請求項１に記載の方法。
【請求項１２】
前記アップリンク送信のためのＡＣＫ／ＮＡＫリソースの複数のセットは、一次ダウンリンク成分キャリアに対応する、請求項１に記載の方法。
【請求項１３】
無線通信の方法であって、
二次ダウンリンク成分キャリアの送信モードでの少なくとも一部分に基づいて、ユーザ機器（ＵＥ）のためのＡＣＫ／ＮＡＫリソースの複数のセットを設定することと、
前記複数のセットにおけるＡＣＫ／ＮＡＫリソースの物理レイヤ・インジケータを送信することとを備える方法。
【請求項１４】
前記設定することは、ダウンリンク制御送信に基づいて、ＡＣＫ／ＮＡＫリソースを暗黙的に設定することを備える、請求項１３に記載の方法。
【請求項１５】
無線通信のための装置であって、
メモリと、
前記メモリに接続された少なくとも１つのプロセッサとを備え、
前記少なくとも１つのプロセッサは、
マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信し、
前記複数のセットにおけるＡＣＫ／ＮＡＫリソースの物理レイヤ・インジケータを受信するように構成されており、
前記ＡＣＫ／ＮＡＫリソースの複数のセットは、前記少なくとも１つの二次ダウンリンク成分キャリアの送信モードでの少なくとも一部分に基づいて決定され、
前記物理レイヤ・インジケータは、前記複数のセットのためのインデックスを備え、
一次成分キャリアと前記少なくとも１つの二次ダウンリンク成分キャリアで、ダウンリンク・データ送信を受信し、
前記一次成分キャリアの制御チャネル要素（ＣＣＥ）での少なくとも一部分に基づいて、前記複数のセットから第１のＡＣＫ／ＮＡＣＫリソースを決定し、
前記インデックスに対応する各セットの要素での少なくとも一部分に基づいて、前記複数のセットから第２のＡＣＫ／ＮＡＣＫリソースを決定するように構成された、装置。
【請求項１６】
前記プロセッサはさらに、
前記ＡＣＫ／ＮＡＫリソースを用いて、物理アップリンク制御チャネルで、前記ダウンリンク・データ送信のためのＡＣＫ／ＮＡＫ情報を送信するように構成された、請求項１５に記載の装置。
【請求項１７】
前記物理レイヤ・インジケータを、キャリア間信号として受信すること、をさらに備える請求項１５に記載の装置。
【請求項１８】
前記物理レイヤ・インジケータは、前記少なくとも１つの二次ダウンリンク成分キャリアのための送信電力制御（ＴＰＣ）コマンドを備える、請求項１７に記載の装置。
【請求項１９】
前記物理レイヤ・インジケータは、前記複数のセットへのオフセットを備える、請求項１５に記載の装置。
【請求項２０】
前記物理レイヤ・インジケータは、物理アップリンク制御チャネル（ＰＵＣＣＨ）フォーマット１ｂベースのチャネル選択をサポートする、請求項１５に記載の装置。
【請求項２１】
前記物理レイヤ・インジケータは、物理ダウンリンク制御チャネル（ＰＤＣＣＨ）二次成分キャリアの送信電力制御ビットを備える、請求項１５に記載の装置。
【請求項２２】
前記上部レイヤは、ラジオ・リソース制御（ＲＲＣ）レイヤを備える、請求項１５に記載の装置。
【請求項２３】
前記複数のセットは、ユーザ機器（ＵＥ）のために設定されたダウンリンク成分キャリアの数と、前記ＵＥの送信モードとに基づく、請求項１５に記載の装置。
【請求項２４】
各セットは、ダウンリンク制御情報ビットの数に基づくリソースの数を備える、請求項１５に記載の装置。
【請求項２５】
前記物理レイヤ・インジケータは、ＡＣＫ／ＮＡＫリソース・インジケータ（ＡＲＩ）を備える、請求項１５に記載の装置。
【請求項２６】
前記アップリンク送信のためのＡＣＫ／ＮＡＫリソースの複数のセットは、一次ダウンリンク成分キャリアに対応する、請求項１５に記載の装置。
【請求項２７】
無線通信のための装置であって、
メモリと、
前記メモリに接続された少なくとも１つのプロセッサとを備え、
前記少なくとも１つのプロセッサは、
二次ダウンリンク成分キャリアの送信モードでの少なくとも一部分に基づいて、ユーザ機器（ＵＥ）のためのＡＣＫ／ＮＡＫリソースの複数のセットを設定し、
前記複数のセットにおけるＡＣＫ／ＮＡＫリソースの物理レイヤ・インジケータを送信するように構成された、装置。
【請求項２８】
前記プロセッサはさらに、ダウンリンク制御送信に基づいて、ＡＣＫ／ＮＡＫリソースを暗黙的に設定するように構成された、請求項２７に記載の装置。
【請求項２９】
無線通信のための装置であって、
マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信する手段と、
前記複数のセットにおけるＡＣＫ／ＮＡＫリソースの物理レイヤ・インジケータを受信する手段とを備え、
前記ＡＣＫ／ＮＡＫリソースの複数のセットは、前記少なくとも１つの二次ダウンリンク成分キャリアの送信モードでの少なくとも一部分に基づいて決定され、
前記物理レイヤ・インジケータは、前記複数のセットのためのインデックスを備え、
一次成分キャリアおよび前記少なくとも１つの二次ダウンリンク成分キャリアで、ダウンリンク・データ送信を受信する手段と、
前記一次成分キャリアの制御チャネル要素（ＣＣＥ）での少なくとも一部分に基づいて、前記複数のセットから第１のＡＣＫ／ＮＡＣＫリソースを決定する手段と、
前記インデックスに対応する各セットの要素での少なくとも一部分に基づいて、前記複数のセットから第２のＡＣＫ／ＮＡＣＫリソースを決定する手段と
を備える装置。
【請求項３０】
無線通信のための装置であって、
二次ダウンリンク成分キャリアの送信モードでの少なくとも一部分に基づいて、ユーザ機器（ＵＥ）のためのＡＣＫ／ＮＡＫリソースの複数のセットを設定する手段と、
前記複数のセットにおけるＡＣＫ／ＮＡＫリソースの物理レイヤ・インジケータを送信する手段とを備える装置。
【請求項３１】
無線ネットワークにおける無線通信のためのコンピュータ・プログラムを記憶した非一時的なコンピュータ読取可能記憶媒体であって、前記コンピュータ・プログラムは非一時的なプログラム・コードを有し、
前記プログラム・コードは、
マルチ・キャリア・コンフィギュレーションにおける少なくとも１つの二次ダウンリンク成分キャリアに対応する、アップリンク送信のためのＡＣＫ／ＮＡＫリソースの複数のセットの上部レイヤ・コンフィギュレーションを受信するためのプログラム・コードと、
前記複数のセットにおけるＡＣＫ／ＮＡＫリソースの物理レイヤ・インジケータを受信するためのプログラム・コードとを備え、
前記ＡＣＫ／ＮＡＫリソースの複数のセットは、前記少なくとも１つの二次ダウンリンク成分キャリアの送信モードでの少なくとも一部分に基づいて決定され、
前記物理レイヤ・インジケータは、前記複数のセットのためのインデックスを備え、
一次成分キャリアおよび前記少なくとも１つの二次ダウンリンク成分キャリアで、ダウンリンク・データ送信を受信するためのプログラム・コードと、
前記一次成分キャリアの制御チャネル要素（ＣＣＥ）での少なくとも一部分に基づいて、前記複数のセットから第１のＡＣＫ／ＮＡＣＫリソースを決定するためのプログラム・コードと、
前記インデックスに対応する各セットの要素での少なくとも一部分に基づいて、前記複数のセットから第２のＡＣＫ／ＮＡＣＫリソースを決定するためのプログラム・コードと
を備えるコンピュータ読取可能記憶媒体。
【請求項３２】
無線ネットワークにおける無線通信のためのコンピュータ・プログラムを記憶した非一時的なコンピュータ読取可能記憶媒体であって、前記コンピュータ・プログラムは非一時的なプログラム・コードを有し、
前記プログラム・コードは、
二次ダウンリンク成分キャリアの送信モードでの少なくとも一部分に基づいて、ユーザ機器（ＵＥ）のためのＡＣＫ／ＮＡＫリソースの複数のセットを設定するためのプログラム・コードと、
前記複数のセットにおけるＡＣＫ／ＮＡＫリソースの物理レイヤ・インジケータを送信するためのプログラム・コードと
を備えるコンピュータ読取可能記憶媒体。